(57)【要約】【課題】導光板の出光光場を導正する構造の提供。【解決手段】    本発明は、導光板の出光光場を導正する構造を提供し、導光板は、入光面、反射面、及び、出光面からなる。出光面は多数の走向がランプ源と垂直な導光構造を形成する。導光板二側辺縁領域の導光構造は、長い斜辺と短い斜辺のＶ字型形状をなし、且つ、長い斜辺は導光板の側辺辺縁方向に近く、長い斜辺と導光板の出光面がなす挟角の角度は、短い斜辺と出光面がなす挟角角度より小さく、且つ、導光板側辺辺縁に近い導光構造中の長い斜辺と出光面がなす挟角角度が小さくなり、出光する光源が長い斜辺に入射して屈折する時、屈折した光線が法線から離れ、光源が正向き方向に導正され、導光板の出光の均斉度を向上させる。【選択図】図４
2009117143.tif 000002
【特許請求の範囲】
【請求項１】
導光板の出光光場を導正する構造であって、導光板の出光面は多くの断面がＶ字型で、走向がランプ源と垂直な導光構造を形成し、前記導光板二側領域に近い導光構造は、非正Ｖ字型であり、二斜辺は長い斜辺と短い斜辺を有し、前記長い斜辺と前記導光板の出光面がなす挟角角度は、前記短い斜辺と前記出光面がなす挟角角度より小さいことを特徴とする導光板の出光光場を導正する構造。
【請求項２】
前記導光板側辺辺縁に近い導光構造中の長い斜辺と前記出光面がなす挟角は小さいことを特徴とする請求項１に記載の導光板の出光光場を導正する構造。
【発明の詳細な説明】
【技術分野】
【０００１】
本発明は導光板の出光光場を導正する構造に関し、詳細には、導光板の光源光場を導正し、出光の均斉度を向上させる構造に関する。
【背景技術】
【０００２】
公知の導光板１は、図１で示されるように、少なくとも、入光面１１、反射面１２、及び、出光面１３、からなる。入光面１１は、ランプ源Aが発射する光源を受け、光源が入光面１１から導光板１に入射した後、導光板１の内部に伝達される。反射面１２に入射する光源は、反射面から出光面１３方向に進み、光源の集光効果を強化するため、導光板１の出光面１３と反射面１２の表面は、それぞれ、多くのV字型導光体１３１、１２１を設置する。出光面１３上のV字型導光体１３１の走向はランプ源Aと垂直で、反射面１２表面のV字型導光体１２１の走向はランプ源Aと平行である。よって、光源がこれらのV字型導光体１３１、１２１の槽壁を経て、導光板１を離れる時、多方向に集光する効果を有する。
【０００３】
公知の導光板１は上述の構造により、導光板１が異なる方向に集光する効果を達成するが、ランプ源Aが発光する時、光源はランプ源Aの二端で発散角を形成し、図２、図３で示されるように、光線が導光板１に進入する時、導光板１二側の光場分布が二側方向に偏移し、この時、V字型導光体１２１は、偏移した光場光源の作用に対し最適な効果が達成されず、出光面１３中のV字型導光体１３１とうまく作用せず、導光板１の出光に影響する。
【発明の開示】
【発明が解決しようとする課題】
【０００４】
本発明の目的は、公知の導光板が、ランプ源が発光する時、光源がランプ源の二端で発散角を形成し、光線が導光板に進入する時、導光板二側の光場分布が二側方向に偏移して、光源作用効果に影響することを改善することにある。
【課題を解決するための手段】
【０００５】
本発明の導光板の出光光場を導正する構造において、導光板は、入光面、反射面、及び、出光面からなる。出光面は多数の導光構造を形成し、導光構造の走向はランプ源と垂直である。導光板二側辺縁領域の導光構造は正Ｖ字型体ではなく、二斜辺が長い斜辺と短い斜辺ので、且つ、長い斜辺は導光板の側辺辺縁方向に近く、長い斜辺と導光板の出光面がなす挟角の角度は、短い斜辺と出光面がなす挟角角度より小さく、且つ、導光板側辺辺縁に近い導光構造中の長い斜辺と出光面がなす挟角角度が小さくなり、長い斜辺の異なる傾斜角を利用して光源が屈折する時、屈折した光線が異なる程度の偏移を生成し、導光板二側辺縁から出光する光源が正向き方向に導正され、導光板の出光の均斉度を向上させる。      
【発明の効果】
【０００６】
本発明により、導光板の出光の均斉度を向上させることができる。
【発明を実施するための最良の形態】
【０００７】
図４、図５で示されるように、本発明の導光板２は、入光面２１、反射面２２、及び、出光面２３からなる。
【０００８】
入光面２１は、ランプ源Aが発射する光源を受け、光源が入光面２１から導光板２に入射した後、導光板２の内部に伝達される。
【０００９】
反射面２２は、入光面２１に相隣し、導光板２の一側に位置し、反射面２２の集光効果を増加するため、本発明の実施時、反射面２２上に多くのV字型導光体２２１を設置し、V字型導光体２２１の走向はランプ源Aと平行である。
【００１０】
出光面２３は、入光面２１に相隣し、導光板２の頂部に位置し、出光面２３上に、多くのＶ字型導光体２３１を設置し、Ｖ字型導光体２３１の走向はランプ源Ａと垂直である。導光板２の中央領域の導光構造２３１は正のＶ字型体であるが、導光板２二側領域の導光構造２３１は非正Ｖ字型である。二斜辺は、長い斜辺２３１aと短い斜辺２３１ｂを有し、長い斜辺２３１ａは導光板の側辺辺縁方向に近く、長い斜辺２３１ａと導光板２の出光面２３の挟角θ１の角度は、短い斜辺２３１ｂと出光面２３がなす挟角θ２角度より小さく、且つ、導光板２側辺辺縁に近い導光構造２３１中の長い斜辺２３１ａと出光面２３がなす挟角θ１角度は小さくなる。
【００１１】
本発明の実施時、図５で示されるように、ランプ源Ａの光線は、入光面２１から導光板２内部に進入し、反射面２２に入射する光源は、反射面から出光面２３方向に進み、出光面２３上のＶ字型導光体２３１の走向はランプ源Ａと垂直で、反射面２２中のＶ字型導光体２２１の走向はランプ源Ａと平行で、これにより、光源がこれらのＶ字型導光体２３１、２２１の斜辺を経て、導光板２を離れる時、異なる方向に集光する効果を有する。この他、光線が導光板２に進入する時、導光板２二側の光場分布が二側に偏移するが、本発明の出光面２３中の導光板２二側領域の導光構造２３１は、長い斜辺２３１ａと短い斜辺２３１ｂを有し、長い斜辺２３１ａは、導光板２の側辺縁方向に近く、よって、光源が出光面２３の導光構造２３１の長い斜辺２３１ａに入射して屈折する時、屈折した光線が法線Ｌを離れて、光源を正向きに進む。同時に、長い斜辺２３１ａが導光板２の側辺に近い時、出光面２３との挟角θ１角度が徐々に小さくなり、導光構造２３１の長い斜辺２３１ａの傾斜角度が伴って変化し、導光板２二側の導光構造２３１は、異なる傾斜角度の長い斜辺２３１ａを利用して、光源が異なる屈折程度の作用を生成し、出光光源が正向きに導向され、図６で示されるように、導光板２の出光光源の均斉度が向上する。
【００１２】
本発明は、導光板２の出光面２３が複数の導光構造２３１を設置し、且つ、導光板２二側領域の導光構造２３１は、非正Ｖ字型であり、二斜辺が長い斜辺２３１ａと短い斜辺２３１ｂを有し、導光板２側辺辺縁に近い導光構造２３１中の長い斜辺２３１ａと出光面２３の挟角θ１角度は小さくなる。長い斜辺２３１ａは異なる傾斜角度をなし、光源が屈折する時、屈折した光源が異なる程度の偏移を形成し、導光板２二側辺縁が出光する光源は正向きの出光方向に導向され、導光板２の出光光源の均斉度が向上する。
【図面の簡単な説明】
【００１３】
【図１】公知の導光板の立体図である。
【図２】公知の導光板の光源進行図である。
【図３】公知の導光板の光場出光図である。
【図４】本発明の導光板の立体図である。
【図５】本発明の導光板の光源進行図である。
【図６】本発明の導光板の光場出光図である。
【符号の説明】
【００１４】
１導光板        
１１入光面          
１２反射面
１２１Ｖ字型導光体    
１３出光面
１３１Ｖ字型導光体    
２導光板        
２１入光面          
２２反射面
２２１Ｖ字型導光体
２３出光面
２３１  導光構造    
２３１ａ長い斜辺      
２３１ｂ短い斜辺          
Ａランプ源
Ｌ法線
θ１、θ２挟角
【図１】
2009117143.tif 000003
【図２】
2009117143.tif 000004
【図３】
2009117143.tif 000005
【図４】
2009117143.tif 000006
【図５】
2009117143.tif 000007
【図６】
2009117143.tif 000008